(57)【特許請求の範囲】
【請求項１】
天板と両側板とを有する外箱と、前記両側板の正面側の下端に位置して、前記両側板を繋ぐように設けられた前板と、前記両側板のそれぞれの下辺に沿って設けられ、前記外箱を補強する補強部材と、冷媒が流れる放熱パイプと、を備えた冷蔵庫において、
前記外箱の正面側の下角部の位置において、少なくとも前記前板と前記補強部材とを螺子で固定し、
前記放熱パイプを前記側板および前記前板に沿うようにして前記外箱の内側に配設し、
前記放熱パイプを少なくとも３箇所折り曲げて屈曲部を形成し、当該屈曲部によって前記螺子との干渉を避ける構成とし、
前記前板には、前記螺子を挿入するための挿入孔が設けられ、
前記補強部材の前端には、前記前板と当接する立ち上がり部が形成されており、前記立ち上がり部には、前記螺子と螺合する螺子穴が設けられ、
前記外箱には、その正面側に前記側板の長辺に沿ってフランジ部が設けられており、
前記前板は、その端部に前記フランジ部と当接する当接部が形成され、前記当接部に前記挿入孔が設けられて成ると共に、前記前板は、前記当接部が前記フランジ部に背面側から当接するようにして前記外箱に取り付けられており、
前記補強部材は、前記立ち上がり部が前記前板の前記当接部に背面側から当接するようにして前記外箱に取り付けられており、
前記フランジ部には、前記挿入孔を臨む位置に、前記螺子を前記螺子穴に差し込むための開口が設けられ、
前記開口は、前記螺子の頭部が入り込む程度の外形を有して成ることを特徴とする冷蔵庫。
【請求項２】
天板と両側板とを有する外箱と、前記両側板の正面側の下端に位置して、前記両側板を繋ぐように設けられた前板と、前記両側板のそれぞれの下辺に沿って設けられ、前記外箱を補強する補強部材と、冷媒が流れる放熱パイプと、を備えた冷蔵庫において、
前記外箱の正面側の下角部の位置において、少なくとも前記前板と前記補強部材とを螺子で固定し、
前記放熱パイプを前記側板および前記前板に沿うようにして前記外箱の内側に配設し、
前記放熱パイプを少なくとも３箇所折り曲げて屈曲部を形成し、当該屈曲部によって前記螺子との干渉を避ける構成とし、
前記前板には、前記螺子を挿入するための挿入孔が設けられ、
前記補強部材の前端には、前記前板と当接する立ち上がり部が形成されており、前記立ち上がり部には、前記螺子と螺合する螺子穴が設けられ、
前記外箱には、その正面側に前記側板の長辺に沿ってフランジ部が設けられており、
前記前板は、その端部に前記フランジ部と当接する当接部が形成され、前記当接部に前記挿入孔が設けられて成ると共に、前記前板は、前記当接部が前記フランジ部に背面側から当接するようにして前記外箱に取り付けられており、
前記補強部材は、前記立ち上がり部が前記前板の前記当接部に背面側から当接するようにして前記外箱に取り付けられており、
前記フランジ部には、前記挿入孔を臨む位置に、前記螺子を前記螺子穴に差し込むための貫通孔が設けられ、
前記貫通孔は、前記フランジ部の表面より低くなった段差部に設けられており、
前記段差部の深さは、前記螺子の頭部の高さ以上となるように形成されていることを特徴とする冷蔵庫。
【請求項３】
請求項１または２において、
前記屈曲部は、前記外箱の背面側を向くように形成されていることを特徴とする冷蔵庫。
【請求項４】
請求項３において、
前記屈曲部は、正面視で、前記フランジ部および前記前板で隠れるように略Ｕ字状に形成されていることを特徴とする冷蔵庫。
【請求項５】
請求項４において、
前記螺子が前記Ｕ字状の屈曲部の内側に位置するように前記放熱パイプを配設したことを特徴とする冷蔵庫。
【発明の詳細な説明】
【技術分野】
【０００１】
この発明は、冷蔵庫に関し、特に、外箱の剛性を高めるのに好適なものである。
【背景技術】
【０００２】
近年、家庭用冷蔵庫は大型化が進んでおり、これに対応するためには、冷蔵庫の外郭を構成する断熱箱体の剛性を高めることが要求される。この要求に応えるべく、例えば、特許文献１では次のような提案がなされている。
【０００３】
即ち、特許文献１に記載の冷蔵庫では、底板を補強用アングルに補強板を用いずにネジ止めできるようにすると共に、底板のネジ止めを容易にするために、外箱の左右両側下部に補強用アングルを設け、この補強用アングルに位置決め部を切り起こし形成する。これに対して、底板に三角突起状の係合部を形成し、この係合部を位置決め部に係合させることにより、底板を補強用アングルに対して位置決めする。更に、補強用アングルの内側に切り起こし形成したネジ止め片に底板を挟み込み、このネジ止め片に底板をねじ止めする。
【先行技術文献】
【特許文献】
【０００４】
【特許文献１】特開平０５−６０４５４号公報
【発明の概要】
【発明が解決しようとする課題】
【０００５】
しかしながら、特許文献１では、依然として補強用アングルと底板の構造は複雑であり、その製造コストも掛かるため、改善の余地はまだ残されている。特に、特許文献１では、外箱の側板と補強用アングルとを冷蔵庫の前面側で固定するために、圧着や螺子締結などの固定作業を追加で行わなければならず、製造コストが増加するという問題点があった。
【０００６】
この発明は、上記のような問題点を解決するためになされたもので、その第１の目的は、剛性を高めた外箱を安価に提供できるようにすることにある。また、本発明の第２の目的は、外箱の剛性を高めるにあたって、冷蔵庫の容積を減らさないようにすることにある。
【課題を解決するための手段】
【０００７】
上記目的を達成するために、本発明は、天板と両側板とを有する外箱と、前記両側板の正面側の下端に位置して、前記両側板を繋ぐように設けられた前板と、前記両側板のそれぞれの下辺に沿って設けられ、前記外箱を補強する補強部材と、冷媒が流れる放熱パイプと、を備えた冷蔵庫において、前記外箱の正面側の下角部の位置において、少なくとも前記前板と前記補強部材とを螺子で固定し、前記放熱パイプを前記側板および前記前板に沿うようにして前記外箱の内側に配設し、前記放熱パイプを少なくとも３箇所折り曲げて屈曲部を形成し、当該屈曲部によって前記螺子との干渉を避ける構成とし、前記前板には、前記螺子を挿入するための挿入孔が設けられ、前記補強部材の前端には、前記前板と当接する立ち上がり部が形成されており、前記立ち上がり部には、前記螺子と螺合する螺子穴が設けられ、前記外箱には、その正面側に前記側板の長辺に沿ってフランジ部が設けられており、前記前板は、その端部に前記フランジ部と当接する当接部が形成され、前記当接部に前記挿入孔が設けられて成ると共に、前記前板は、前記当接部が前記フランジ部に背面側から当接するようにして前記外箱に取り付けられており、前記補強部材は、前記立ち上がり部が前記前板の前記当接部に背面側から当接するようにして前記外箱に取り付けられており、前記フランジ部には、前記挿入孔を臨む位置に、前記螺子を前記螺子穴に差し込むための開口が設けられ、前記開口は、前記螺子の頭部が入り込む程度の外形を有して成ることを特徴としている。
【０００８】
本発明によれば、前板と補強部材とを螺子で固定しているので、外箱の剛性を高めることができる。しかも、螺子で固定するだけの構成であるため、安価である。また、放熱パイプに屈曲部を設けているから、螺子との干渉が避けられ、放熱パイプが破損する心配もない。また、本発明によれば、立ち上がり部の前面側から螺子を取り付けることができるので、組み立て作業の効率が向上する。また、本発明によれば、外箱に対して前板と補強部材とを背面側から簡単に取り付けることができる。しかも、螺子の頭部が開口に入り込むことができるから、螺子の頭部がフランジ部の表面から突出することがない。よって、側板のフランジ部に取り付けられるパッキンに隙間が生じるといった問題も生じない。
【０００９】
また、上記目的を達成するために、本発明は、天板と両側板とを有する外箱と、前記両側板の正面側の下端に位置して、前記両側板を繋ぐように設けられた前板と、前記両側板のそれぞれの下辺に沿って設けられ、前記外箱を補強する補強部材と、冷媒が流れる放熱パイプと、を備えた冷蔵庫において、前記外箱の正面側の下角部の位置において、少なくとも前記前板と前記補強部材とを螺子で固定し、前記放熱パイプを前記側板および前記前板に沿うようにして前記外箱の内側に配設し、前記放熱パイプを少なくとも３箇所折り曲げて屈曲部を形成し、当該屈曲部によって前記螺子との干渉を避ける構成とし、前記前板には、前記螺子を挿入するための挿入孔が設けられ、前記補強部材の前端には、前記前板と当接する立ち上がり部が形成されており、前記立ち上がり部には、前記螺子と螺合する螺子穴が設けられ、前記外箱には、その正面側に前記側板の長辺に沿ってフランジ部が設けられており、前記前板は、その端部に前記フランジ部と当接する当接部が形成され、前記当接部に前記挿入孔が設けられて成ると共に、前記前板は、前記当接部が前記フランジ部に背面側から当接するようにして前記外箱に取り付けられており、前記補強部材は、前記立ち上がり部が前記前板の前記当接部に背面側から当接するようにして前記外箱に取り付けられており、前記フランジ部には、前記挿入孔を臨む位置に、前記螺子を前記螺子穴に差し込むための貫通孔が設けられ、前記貫通孔は、前記フランジ部の表面より低くなった段差部に設けられており、前記段差部の深さは、前記螺子の頭部の高さ以上となるように形成されていることを特徴としている。
【００１０】
本発明によれば、前板と補強部材とを螺子で固定しているので、外箱の剛性を高めることができる。しかも、螺子で固定するだけの構成であるため、安価である。また、放熱パイプに屈曲部を設けているから、螺子との干渉が避けられ、放熱パイプが破損する心配もない。また、本発明によれば、立ち上がり部の前面側から螺子を取り付けることができるので、組み立て作業の効率が向上する。また、本発明によれば、外箱に対して前板と補強部材とを背面側から簡単に取り付けることができるうえ、螺子の頭部が段差部内に納まるため、側板のフランジ部に取り付けられるパッキンに隙間が生じるといった問題も生じない。
【００１１】
また、上記構成において、前記屈曲部は、前記外箱の背面側を向くように形成されていることが好ましい。このように構成すると、放熱パイプの屈曲部が冷蔵庫の下段に設けられた室内（例えば野菜室）の邪魔になりにくいので、当該室内の容積の低減を極力抑えることができる。
【００１２】
さらに、上記構成において、前記屈曲部は、正面視で、前記フランジ部および前記前板で隠れるように略Ｕ字状に形成されていることが好ましい。このように構成すると、放熱パイプの屈曲部はフランジ部と前板で隠れているから、全く冷蔵庫の下段に設けられた室内の邪魔にならない。よって、従来の冷蔵庫室内の容積をそのまま維持しつつ、外箱の強度も向上させることができることとなる。
【００１３】
さらに、上記構成において、前記螺子が前記Ｕ字状の屈曲部の内側に位置するように前記放熱パイプを配設すると、Ｕ字状の屈曲部の内部の領域、即ち、デッドスペースを有効に利用することができるので好ましい。
【発明の効果】
【００１７】
上記のように構成された本発明によれば、剛性を高めた外箱を安価に提供することができる。また、本発明によれば、外箱の剛性を高めるにあたって、冷蔵庫の容積を減らさないようにすることもできる。
【図面の簡単な説明】
【００１８】
【図１】本発明の実施の形態例に係る冷蔵庫の正面図である。
【図２】図１に示す冷蔵庫のうち外箱、前板、補強部材、および放熱パイプを組み立てた状態を背面側から見た全体斜視図である。
【図３】図２の要部拡大斜視図である。
【図４】図２に示す外箱の斜視図である。
【図５】図２に示す補強部材の斜視図である。
【図６】図２に示す前板の斜視図である。
【図７】図２に示す放熱パイプの斜視図である。
【図８】図１に示す冷蔵庫のうち外箱、前板、補強部材、および放熱パイプを組み立てた状態の正面側から見た要部拡大斜視図である。
【図９】図１に示す冷蔵庫の野菜室の容積を説明するための図である。
【図１０】従来の冷蔵庫の野菜室の容積を説明するための図である。
【図１１】図１０に示す冷蔵庫を補強したと仮定した場合における野菜室の容積を説明するための図である。
【図１２】図１０に示す冷蔵庫を補強したと仮定した場合における野菜室の容積を説明するための図である。
【図１３】図１０に示す冷蔵庫を補強したと仮定した場合における野菜室の容積を説明するための図である。
【図１４】冷蔵庫の外箱が変形するメカニズムを説明するための図である。
【図１５】図８に示す側板の下部を変形した変形例を示す図であって、（ａ）は変形した部分の斜視図、（ｂ）は変形した部分の側面図である。
【発明を実施するための形態】
【００１９】
以下、本発明の実施の形態例に係る冷蔵庫について、図１〜図１４を用いて説明する。図１に示す冷蔵庫は、近年主流になっている冷蔵室が観音開きの大型冷蔵庫である。この冷蔵庫１００は、外箱１、内箱（図示せず）及びそれらの間に充填された断熱材（図示せず）で構成された断熱箱体の上段に、例えば観音開きの冷蔵室扉２００で前面が開閉される冷蔵室を配置し、中段に、例えば引出式の製氷室扉３００と上段冷凍室扉４００と下段冷凍室扉５００を有する冷凍室を配置し、下段に、例えば引出式の野菜室扉６００を有する野菜室を配置して構成されている。
【００２０】
外箱１は、鋼板をプレス成形して構成されるものであり、図２および図４に示すように、２つの側板１ａ，１ｂと、これら両側板１ａ，１ｂと連続する天板１ｃとを備え、前面、背面及び底面が開放したコ字形状を成している。そして、側板１ｂの２つの長辺のうち正面側の長辺には、フランジ部１ｅが長辺に沿って一様に設けられている。なお、このフランジ部１ｅは、側板１ｂの長辺から内側に向かって略直角に折れ曲がるようにして設けられている。そして、フランジ部１ｅの下端部には、後述する固定用ネジ８が挿入される孔３０ｂと、本発明の螺子に相当する補強用ネジ９が挿入される開口３１ｂが設けられている（図８参照）。
【００２１】
この開口３１ｂは、補強用ネジ９の頭部が開口３１ｂ内に没入する程度の外形を有して形成されている。そのため、開口３１ｂに補強用ネジ９を挿入すると、補強用ネジ９の頭部がフランジ部１ｅの表面から突出することがない。これにより、補強用ネジ９の頭部が突出して外観を損ねてしまうといったことがない上、野菜室扉６００のパッキンに隙間が生じるといった不具合も生じない。さらには、補強用ネジ９の先端部は外箱１の内部にあるので、ユーザーが補強用ネジ９の先端部を触って怪我をするといった心配もない。なお、側板１ａにものフランジ部１ｄ、孔（図示せず）、開口（図示せず）が設けられているが、その構成は側板１ｂと同様であるため、ここでの説明は省略する。
【００２２】
この外箱１には、図２および図３に示すように、一対の補強部材２ａ，２ｂ、前板３、および、放熱パイプ４が設けられている。前板３は、例えば厚さ１ｍｍの鋼板を成形したものであり、図６に示すように、その両端に当接部１５ａ，１５ｂが形成されている。当接部１５ｂには、固定用ネジ８と締結する雌ネジ穴１７ｂと、補強用ネジ９の挿入を許容する程度の直径を有する挿入孔１６ｂとが、上下方向にやや間隔を空けて設けられている。この前板３は、図２および図３に示すように、一端に形成されている当接部１５ｂがフランジ部１ｅの裏面と当接し、他端に形成されている当接部１５ａがフランジ部１ｄの裏面と当接した状態で、外箱１の下端の位置に、両側板１ａ，１ｂを繋ぐようにして取り付けられている。そして、前板３が取り付けられた状態の外箱１を正面から見ると、両側板１ａ，１ｂと、天板１ｃと、前板３とにより、矩形枠が形成されるようになっている。なお、前板３の当接部１５ａにも、当接部１５ｂと同様に雌ネジ穴１７ａおよび挿入孔１６ａが設けられている。
【００２３】
次に、補強部材２ａは、例えば、厚さ１．２ｍｍの鋼板を成形したものであり、図５に示すように、細長いアングル部材１０ａの前端に立ち上がり部１２ａを有し、後端にストッパ部材１１ａを有していると共に、全体として略Ｌ字形状を成すように構成されるものである。立ち上がり部１２ａには、後述する固定用ネジ８の先端部が入り込むための逃げ孔１４ａと、本発明の螺子穴に相当し、後述する補強用ネジ９と締結する雌ネジ穴１３ａとが、上下方向にやや間隔を空けて設けられている。補強部材２ａを側板１ａの下辺に沿って外箱１の背面側から正面側へスライドするようにして取り付けると、ストッパ部材１１ａが側板１ａの背面側の長辺と当接してスライド方向の位置決めがされると共に、立ち上がり部１２ａが前板の当接部１５ａと当接した状態となる。なお、補強部材２ｂについてもその構成は同じであるため、ここでの説明は省略する。
【００２４】
また、放熱パイプ４は、例えば銅製のチューブを略同一平面上で何か所も折り返すようにＵ字状に折り曲げて構成されており、図７に示すように、左側に３つの垂直部２６ａ，２６ｂ，２６ｃと、右側に１つの垂直部２６ｄと、下側に水平部２７とを有している。この放熱パイプ４は、外箱１の内側の所定の位置に取り付けると、垂直部２６ａ，２６ｂ，２６ｃが側板１ｂのフランジ部１ｅに沿い、水平部２７が前板３に沿い、かつ、垂直部２６ｄが側板１ａのフランジ部１ｄに沿うようになっている。なお、放熱パイプ４内を冷媒が流れることにより、外気との熱交換が行われて、冷蔵庫内が冷却されることになるが、この点については公知であるため、ここでの説明は省略する。
【００２５】
さらに、放熱パイプ４は、その左下角部に、図７に示すように、折れ曲がり箇所２４ａ，２４ｂ，２４ｃの３箇所で折り曲げられて略Ｕ字状に形成された屈曲部２５を有している。この屈曲部２５は、補強用ネジ９との干渉を回避するため、図３および図８に示すように、放熱パイプ４を外箱１に取り付けた状態において背面側に折れ曲がるように構成されているが、外箱１の正面側から見ると、図９に示すように、側板１ｂのフランジ部１ｅと前板３の裏面側に隠れて見えない。そして、放熱パイプ４を外箱１の内側の所定の位置に取り付けると、補強用ネジ９が屈曲部２５の内側に位置するよう構成されている（図８参照）。このようにして、補強用ネジ９と放熱パイプ４との干渉が回避されているのである。
【００２６】
これらの各種部材２ａ，２ｂ，３，４の外箱１への組み込み作業は、以下の手順で行われる。まず、プレス加工されたコ字形の外箱１を、開放した前面を下になるように寝かせ、前板３の両端に形成された当接部１５ａ，１５ｂを外箱１のフランジ部１ｄ，１ｅに背面側から当接させる。次に、外箱１の前面側から、固定用ネジ８をフランジ部１ｅに設けられた孔３０ｂに挿入し、前板３の雌ネジ穴１７ｂへとねじ込んで前板３を側板１ｂと固定する。側板１ａと前板３との固定も同様にして行う。
【００２７】
次に、補強部材２ａ、２ｂを外箱１の両側板１ａ，１ｂの下辺に沿って挿入し、補強部材２ａ，２ｂの立ち上がり部１２ａ，１２ｂを前板３の当接部１５ａ，１５ｂに当接させる。このとき、固定用ネジ８の先端部が、立ち上がり部１２ａ，１２ｂの逃げ孔１４ａ，１４ｂにそれぞれ挿入されているかに留意する。次に、外箱１の前面側から、補強用ネジ９をフランジ部１ｅに設けられた開口３１ｂから挿入し、補強部材２ｂの前板３の雌ネジ穴１３ｂへとねじ込んで前板３と補強部材２ｂと固定する。前板３と補強部材２ａとの固定も同様にして行う。これで、外箱１への各種部材２ａ，２ｂ，３，４の取り付けは完成する。
【００２８】
次に、外箱１の剛性を高めることと野菜室扉６００により仕切られた野菜室の容積Ｖとの関係について図９〜図１３を参照しながら説明する。図１０は、従来の外箱構造を採用した場合の野菜室の容積を示している。図１０に示すように、前板３と側板１ｂを固定用ネジ８のみで固定した従来の構造では、放熱パイプ４をフランジ部１ｅと前板３の裏面側に沿って折り曲げながら配置する際に、補強用ネジ９と干渉することはないので、野菜室の容積をＶだけ確保することができる。
【００２９】
ところが、放熱パイプ４に本実施形態のような屈曲部２５を設けることがないまま、外箱１の剛性を高めるために補強部材２ｂと前板３とを補強用ネジ９で固定すると、図１１に示すように、放熱パイプ４が補強用ネジ９と干渉してしまう。そこで、図１２に示すように、放熱パイプ４を図１１よりも大きなアール（Ｒ）で折り曲げて、補強用ネジ９との干渉を回避するようにすることが考えられる。
【００３０】
しかし、放熱パイプ４の折れ曲がり部分のアールが大きくなると、放熱パイプ４を高さｈの前板３で覆い隠すことができなくなるため、図１２のように前板３の端部に放熱パイプ４を隠すための三角片（高さｈ０）を設けなければならなくなる。そうすると、野菜室の容積は、三角片の部分に相当する容積Ｖ０だけ減少して、Ｖ−Ｖ０となる。これでは、せっかく外箱１の剛性を高めても、野菜室の容積が従来のものより減少するので好ましいとは言い難い。また、図１３のように、前板３を高さｈ１だけ一様に高くして放熱パイプ４の折れ曲がり部分を隠すようにすると、高さｈ１の分だけ野菜室の容積は減少してＶ−Ｖ１となる。
【００３１】
このように、単に補強部材２ｂと前板３とを補強用ネジ９で固定して外箱１の剛性を高めようとすると、野菜室の容積は減少してしまう。ところが、本実施形態では、図９に示すように、放熱パイプ４の屈曲部２５を背面側にＵ字状に折り曲げているので、放熱パイプ４と補強用ネジ９との干渉を回避しつつ、野菜室の容積をＶだけ確保することができる。つまり、本実施形態では、野菜室の容積を減らすことなく、外箱１の剛性を高めることができるのである。
【００３２】
そして、本実施形態によれば、上述したように外箱１の剛性を高めることができるため、図１４に示すように外箱１全体を平行四辺形のように変形させる外力が加わった場合であっても、図１４のような観音開き扉に段差が発生するという問題が発生することは皆無である。このことは、近年大型冷蔵庫で主流となりつつある観音開き型冷蔵庫において、本発明の実施の形態例に係る冷蔵庫が好適であることを意味する。しかも、補強部材２ａ，２ｂと前板３とを補強用ネジ９で固定して、放熱パイプ４に屈曲部２５を設けるだけで良いので、強固で歪みの少ない外箱１を安価に提供することが可能である。
【００３３】
なお、上記した実施の形態例では、補強用ネジ９の頭部がフランジ部１ｄ，１ｅから突出しないために開口３１ａ，３１ｂを設けた構成としたが、この構成に代えて、図１５に示すように、補強用ネジ９の頭部がフランジ部１ｄ，１ｅの表面から突出しない程度の深さｄ（即ち、深さｄは、補強用ネジ９の頭部の高さ以上である）だけ窪んだ段差部５０を設け、この段差部５０の略中央で、挿入孔１６ａ，１６ｂを臨む位置に、補強用ネジ９を挿入可能な程度の貫通孔５１を設けるようにしても良い。この構成であっても、開口３１ａ，３１ｂと同様の効果、即ち、補強用ネジ９の頭部が突出して外観を損ねてしまうこと、野菜室扉６００のパッキンに隙間が生じること、および、ユーザーが補強用ネジ９の先端部を触って怪我をすること、を防止できるといった効果を奏する。
【符号の説明】
【００３４】
１…外箱、１ａ，１ｂ…側板、１ｃ…天板、１ｄ，１ｅ…フランジ部、２ａ，２ｂ…補強部材、３…前板、４…放熱パイプ、８…固定用ネジ、９…補強用ネジ（螺子）、１０ａ，１０ｂ…アングル部材、１１ａ，１１ｂ…ストッパ部材、１２ａ，１２ｂ…立ち上がり部、１３ａ，１３ｂ…雌ネジ穴（螺子穴）、１４ａ，１４ｂ…逃げ孔、１５ａ，１５ｂ…当接部、１６ａ，１６ｂ…挿入孔、１７ａ，１７ｂ…雌ネジ穴、２４ａ，２４ｂ，２４ｃ…折れ曲がり箇所、２５…屈曲部、２６ａ，２６ｂ，２６ｃ，２６ｄ…垂直部、２７…水平部、３０ｂ…孔、３１ｂ…開口、５０…段差部、５１…貫通孔、１００…冷蔵庫、ｄ…深さ
【図３】
0005449280.tif 000002
【図４】
0005449280.tif 000003
【図５】
0005449280.tif 000004
【図６】
0005449280.tif 000005
【図７】
0005449280.tif 000006
【図８】
0005449280.tif 000007
【図１４】
0005449280.tif 000008
【図１５】
0005449280.tif 000009
【図１】
0005449280.tif 000010
【図２】
0005449280.tif 000011
【図９】
0005449280.tif 000012
【図１０】
0005449280.tif 000013
【図１１】
0005449280.tif 000014
【図１２】
0005449280.tif 000015
【図１３】
0005449280.tif 000016